(57)【要約】【課題】ワイヤーハーネスの設計において、対策が必要な干渉箇所を効率的に見つけ出すことを可能とする技術を提供する。【解決手段】干渉箇所検出部１２は、ＣＡＤ情報取得部１１で取得されたＣＡＤ情報から複数の干渉箇所を検出する。干渉箇所状態情報取得部１３は、干渉箇所検出部１２で検出された複数の干渉箇所の夫々について、干渉箇所情報を取得する。判定基準記憶部１４は種々の干渉箇所情報の夫々について、適応できるワイヤーハーネスの保護方法を表す判定基準を記憶する。判定部１５は、干渉箇所検出部１２で検出された複数の干渉箇所の夫々について、干渉箇所状態情報取得部１３で取得された干渉箇所状態情報と判定基準記憶部１４に記憶されている判定基準とを比較することによって、該干渉箇所に対策が必要か否かを判定する。【選択図】図１
2008287514.tif 000002
【特許請求の範囲】
【請求項１】
ワイヤーハーネスの設計において、ワイヤーハーネスの干渉を分析する設計分析装置であって、
ＣＡＤ情報から複数の干渉箇所を自動的に検出する干渉箇所検出手段と、
前記複数の干渉箇所の夫々について、干渉箇所の干渉箇所状態として、周辺部品への干渉度合、周辺部品の材質、周辺部品の形状、及び、運動状態、の項目のうち少なくとも１つの項目を含む干渉箇所状態情報を取得する干渉箇所状態情報取得手段と、
種々の干渉箇所状態の夫々について、その干渉箇所状態に適応できるワイヤーハーネスの保護方法を表す判定基準を記憶する判定基準記憶手段と、
前記干渉箇所状態情報と前記判定基準とを比較することによって、前記干渉箇所に対策が必要か否かを判定する判定手段と、
前記判定手段の結果を表示する表示手段と、
を有することを特徴とする設計分析装置。
【請求項２】
前記表示手段は、前記複数の干渉箇所の夫々について、対策が必要か否かを表示する
ことを特徴とする請求項１に記載の設計分析装置。
【請求項３】
前記表示手段は、前記複数の干渉箇所のうち、対策を必要とする干渉箇所のみを表示する
ことを特徴とする請求項１に記載の設計分析装置。
【請求項４】
前記干渉箇所状態情報が、前記干渉箇所に設定されている保護方法の項目を含んでおり、
前記判定手段は、前記干渉箇所に設定されている保護方法が妥当か否かを更に判定することを特徴とする請求項１〜３のいずれかに記載の設計分析装置。
【請求項５】
前記表示手段は、前記干渉箇所に設定されている保護方法が妥当でない場合に、該干渉箇所において妥当な保護方法を表示する
ことを特徴とする請求項４に記載の設計分析装置。
【請求項６】
ワイヤーハーネスの設計において、ワイヤーハーネスの干渉を分析するコンピュータが、
ＣＡＤ情報から複数の干渉箇所を自動的に検出し、
前記複数の干渉箇所の夫々について、干渉箇所の干渉箇所状態として、周辺部品への干渉度合、周辺部品の材質、周辺部品の形状、及び、運動状態、の項目のうち少なくとも１つの項目を含む干渉箇所状態情報を取得し、
種々の干渉箇所状態の夫々について、その干渉箇所状態に適応できるワイヤーハーネスの保護方法を表す判定基準を記憶しており、
前記干渉箇所状態情報と前記判定基準とを比較することによって、前記干渉箇所に対策が必要か否かを判定し、
前記判定手段の結果を表示する
設計分析方法。
【請求項７】
ワイヤーハーネスの設計において、ワイヤーハーネスの干渉を分析するコンピュータに、
ＣＡＤ情報から複数の干渉箇所を自動的に検出するステップと、
前記複数の干渉箇所の夫々について、干渉箇所の干渉箇所状態として、周辺部品への干渉度合、周辺部品の材質、周辺部品の形状、及び、運動状態、の項目のうち少なくとも１つの項目を含む干渉箇所状態情報を取得するステップと、
種々の干渉箇所状態の夫々について、その干渉箇所状態に適応できるワイヤーハーネスの保護方法を表す判定基準を記憶するステップと、
前記干渉箇所状態情報と前記判定基準とを比較することによって、前記干渉箇所に対策が必要か否かを判定するステップと、
前記判定手段の結果を表示するステップと、
を実行させるための設計分析プログラム。
【発明の詳細な説明】
【技術分野】
【０００１】
本発明は、ワイヤーハーネスの設計において、ワイヤーハーネスの干渉を分析する設計分析装置に関する。
【背景技術】
【０００２】
自動車、家電製品、ＯＡ機器、アミューズメント機器などにはワイヤーハーネスが使われている。ワイヤーハーネスとは電線や情報回路をコンパクトに束ねたものである。ワイヤーハーネスがその周辺部品に強く干渉していると、ワイヤーハーネス及び／又はその保護材料が損傷しやすく、故障の原因となる。そのため、従来、自動車などのワイヤーハーネスの設計は、そのような干渉箇所を避けるために、ワイヤーハーネス周りに十分な空間を作るような設計がなされていた。
【０００３】
しかし、現在、自動車などは内部に設置されている機器のほとんどが電気で動作しているため、たくさんのワイヤーハーネスが必要になり、ワイヤーハーネス周りに十分な空間が作れなくなってきている。また、家電製品やＯＡ機器なども、小型化が進んでいるため、ワイヤーハーネス周りに十分な空間が作れなくなってきている。
【０００４】
そのため、ＣＡＤ情報を用いてワイヤーハーネスの干渉箇所の検出、及び、その干渉箇所の周辺部品への干渉度合の算出を自動的に行い、その結果に基づいて対策（ワイヤーハーネスの保護材料を強くするなど）が施されている（特許文献１参照）。しかし、ＣＡＤ情報から検出された干渉箇所全てについて対策を施す必要はなく、干渉箇所の状態（周辺部品への干渉度合、周辺部品の材質、周辺部品の形状、及び、運動状態など）によっては、ワイヤーハーネスが周辺部品へ強く干渉していても対策が必要ない干渉箇所、ワイヤーハーネスが周辺部品へ強く干渉していなくても対策が必要な干渉箇所、ワイヤーハーネスの保護材料のスペックダウンが可能な干渉箇所などがある。そのような干渉箇所は、ＣＡＤ情報から算出された結果に基づいて人間が判断する。しかし、ＣＡＤ情報から検出される干渉箇所は、ワイヤーハーネスとその周辺部品の数に応じて膨大な数になるため、膨大な数の干渉箇所の中から本当に対策が必要な干渉箇所、及び、スペックダウンが可能な干渉箇所を正確に判断することは多大な労力を要する。
【特許文献１】特開２００６−３０１９５３号公報
【発明の開示】
【発明が解決しようとする課題】
【０００５】
本発明は上記実情に鑑みてなされたものであって、その目的とするところは、ワイヤーハーネスの設計において、対策が必要な干渉箇所を効率的に見つけ出すことを可能とする技術を提供することにある。
【課題を解決するための手段】
【０００６】
上記目的を達成するために、本発明は以下の構成を採用する。
【０００７】
本発明に係る設計分析装置は、ワイヤーハーネスの設計において、ワイヤーハーネスの干渉を分析する設計分析装置であって、ＣＡＤ情報から複数の干渉箇所を自動的に検出する干渉箇所検出手段と、前記複数の干渉箇所の夫々について、干渉箇所の干渉箇所状態として、周辺部品への干渉度合、周辺部品の材質、周辺部品の形状、及び、運動状態、の項目のうち少なくとも１つの項目を含む干渉箇所状態情報を取得する干渉箇所状態情報取得手段と、種々の干渉箇所状態の夫々について、その干渉箇所状態に適応できるワイヤーハーネスの保護方法を表す判定基準を記憶する判定基準記憶手段と、前記干渉箇所状態情報
と前記判定基準とを比較することによって、前記干渉箇所に対策が必要か否かを判定する判定手段と、前記判定手段の結果を表示する表示手段と、を有することを特徴とする。
【０００８】
本発明に係る設計分析装置では、ＣＡＤ情報から自動的に検出された複数の干渉箇所の夫々について、周辺部品への干渉度合、周辺部品の材質、周辺部品の形状、運動状態などの干渉箇所状態情報を取得する。そして、得られた干渉箇所状態情報と、種々の干渉箇所状態の夫々について、その干渉箇所状態に適応できるワイヤーハーネスの保護方法を表す判定基準とを比較する。これにより、夫々の干渉箇所について、その干渉箇所に対策が必要か否かを判定することができるので、対策が必要な干渉箇所を効率的に見つけ出すことができる。なお、「干渉箇所に対策が必要である」というのは、「その干渉箇所に保護材料が必要である」及び「その干渉箇所に設定されている保護方法は強度的に不十分である」ということを意味する。
【０００９】
前記表示手段は、前記複数の干渉箇所の夫々について、対策が必要か否かを表示することが好ましい。これにより、ユーザは、夫々の干渉箇所について対策が必要か否かを効率的に把握することができる。更に、全体でいくつの干渉箇所があるのかを把握することができるので、対策が必要ではない干渉箇所についても、状況に応じて適宜対策を施すことができる。
【００１０】
前記表示手段は、前記複数の干渉箇所のうち、対策を必要とする干渉箇所のみを表示することが好ましい。これにより、ユーザは、対策が必要な干渉箇所のみを効率的に把握することができる。更に、ユーザは、表示された干渉箇所にのみ対策を施せばよいので、ユーザの労力及び判断時間を大幅に削減することができる。
【００１１】
前記干渉箇所状態情報が、前記干渉箇所に設定されている保護方法の項目を含んでおり、前記判定手段は、前記干渉箇所に設定されている保護方法が妥当か否かを更に判定することが好ましい。ここで、「保護方法が妥当である」というのは、「その干渉箇所に設定されている保護方法は、該干渉箇所に適応できる保護方法のうち最も低スペック（又は低コスト）な保護方法である」ということを意味する。これにより、夫々の干渉箇所について、その干渉箇所に設定されている保護方法が妥当か否かを判定することができるので、設定されている保護方法が妥当ではない干渉箇所を効率的に見つけ出すことができる。
【００１２】
前記表示手段は、前記干渉箇所に設定されている保護方法が妥当でない場合に、該干渉箇所において妥当な保護方法を表示することが好ましい。これにより、ユーザは、夫々の干渉箇所について、その干渉箇所に設定されている保護方法が妥当でない場合に、妥当な保護方法を効率的に把握することができる。更に、ユーザは、干渉箇所に設定されていた保護方法を、表示された保護方法に変更すればよいので、ユーザの労力及び判断時間を大幅に削減することができる。また、完成品の信頼性を保ちつつ、完成品を低コストで製作することができる。
【００１３】
また、本発明は、上記手段の少なくとも一部を有する設計分析装置として捉えてもよいし、上記処理の少なくとも一部を含む設計分析方法、または、かかる方法を実現するための設計分析プログラムやそのプログラムを記憶した記憶媒体として捉えることもできる。なお、上記手段及び処理の各々は可能な限り互いに組み合わせて本発明を構成することができる。
【発明の効果】
【００１４】
本発明によれば、ＣＡＤ情報から自動的に検出された複数の干渉箇所の夫々について、周辺部品への干渉度合、周辺部品の材質、周辺部品の形状、運動状態などの干渉箇所状態情報を取得し、得られた干渉箇所状態情報と、種々の干渉箇所状態の夫々について、その
干渉箇所状態に適応できるワイヤーハーネスの保護方法を表す判定基準とを比較する。これにより、夫々の干渉箇所について、その干渉箇所に対策が必要か否かを判定することができるので、対策が必要な干渉箇所を効率的に見つけ出すことができる。
【発明を実施するための最良の形態】
【００１５】
以下に図面を参照して、この発明の好適な実施の形態を例示的に詳しく説明する。
【００１６】
＜基本構成＞
図１は、本発明の実施形態に係る設計分析装置の機能構成を示すブロック図である。この設計分析装置は、ワイヤーハーネスの設計において、ワイヤーハーネスに対策が必要な干渉箇所があるか否かを判定する設計分析装置である。
【００１７】
設計分析装置は、図１に示す複数の機能要素、すなわちＣＡＤ情報取得部１１、干渉箇所検出部１２、干渉箇所状態情報取得部１３、判定基準記憶部１４、判定部１５、結果記憶部１６、表示部１７を備えている。本実施形態では、これらの機能要素は、コンピュータの演算処理装置がソフトウエア（プログラム）を実行し、必要に応じてメモリ、ハードディスク、ディスプレイなどのハードウエア資源を制御することで実現される。ただし、これらの機能要素を専用のチップで構成しても構わない。
【００１８】
ＣＡＤ情報取得部１１は、ＣＡＤ情報を取得する機能である。ＣＡＤ情報には、ワイヤーハーネスとその周辺部品の３次元形状の情報、及び、属性の情報が含まれている。ここで、属性の情報には、後述する干渉箇所状態情報も含まれる。
【００１９】
干渉箇所検出部１２は、ＣＡＤ情報取得部１１で取得されたＣＡＤ情報から複数の干渉箇所を自動的に検出する機能である。干渉箇所とは、ワイヤーハーネス全体のうち、周辺部品に干渉する箇所（常に周辺部品に干渉している箇所、振動や可動部などの影響により一時的に干渉する箇所など）のことである。本実施形態では、ワイヤーハーネスの或る箇所と周辺部品の距離を３次元形状の情報から算出し、該計算結果が所定の閾値以下である場合に該箇所を干渉箇所とする。しかし、このように検出された干渉箇所の全てについて対策を施す必要はなく、干渉箇所の状態（周辺部品への干渉度合、周辺部品の材質、周辺部品の形状、及び、運動状態など）によっては、ワイヤーハーネスが周辺部品へ強く干渉していても対策が必要ない干渉箇所、ワイヤーハーネスが周辺部品へ強く干渉していなくても対策が必要な干渉箇所、ワイヤーハーネスの保護材料のスペックダウンが可能な干渉箇所などがある。とはいえ、干渉箇所の数は、ワイヤーハーネスとその周辺部品の数に応じて１００箇所を超えることもあり、全ての干渉箇所の夫々について対策が必要か否かを人間が判断するのは多大な労力と時間を要する。そこで、本実施形態では、複数の干渉箇所の夫々について、対策が必要か否かを判定するために、干渉箇所状態情報取得部１３、判定基準記憶部１４、及び、判定部１５の機能を実行する。これにより、対策が必要な干渉箇所を効率的に見つけ出すことができる。
【００２０】
干渉箇所状態情報取得部１３は、夫々の干渉箇所について、干渉箇所状態情報をＣＡＤ情報から取得する機能である。干渉箇所状態情報とは、干渉箇所に適応できる保護方法を決定するために必要な干渉箇所状態についての情報である。本実施形態では、干渉箇所状態として、周辺部品への干渉度合、周辺部品の材質、周辺部品の形状、運動状態、及び、保護方法の５つを考える。夫々の項目は違うものの、これらは「ワイヤーハーネスの故障・損傷・劣化の原因となる」という点で共通している。
【００２１】
判定基準記憶部１４は、判定基準を記憶する記憶装置である。判定基準とは、種々の干渉箇所状態の夫々について、その干渉箇所状態に適応できるワイヤーハーネスの保護方法を表したものである。図２は本実施形態における判定基準の一例である。図２の例では、
判定基準として上記干渉状態の全ての組み合わせが記憶されている（一部省略）。なお、この記憶装置としては、不揮発性メモリやハードディスクなど、どのような具体的技術が適用されてもよい。
【００２２】
判定部１５は、夫々の干渉箇所について、対策が必要か否かを判定する機能である。具体的には、干渉箇所状態情報取得部１３で取得された干渉箇所状態情報と、判定基準記憶部１４に記憶されている判定基準とを比較することによって判定される。なお、「対策が必要である」というのは、「その干渉箇所に保護材料が必要である」及び「その干渉箇所に設定されている保護方法は強度的に不十分である」ということを意味する。
【００２３】
上記判定手法により、本実施形態では、従来、人間が判定していた特別な干渉箇所（ワイヤーハーネスが周辺部品へ強く干渉していても対策が必要ない干渉箇所、ワイヤーハーネスが周辺部品へ強く干渉していなくても対策が必要な干渉箇所、ワイヤーハーネスの保護材料のスペックダウンが可能な干渉箇所など）についても対策が必要か否かを判定することができる。
【００２４】
更に、本実施形態における判定部１５は、干渉箇所検出部１２で検出された干渉箇所に設定されている保護方法が妥当か否かを判定する機能も有する。具体的には、干渉箇所に設定されている保護方法と、干渉箇所状態が該干渉箇所と同じである判定基準の保護方法のうち最もスペックの低い保護方法とを比較することにより判定される（なお、対策が必要である干渉箇所は、保護方法が妥当ではない干渉箇所である。）。なお、「保護方法が妥当である」というのは、「その干渉箇所に設定されている保護方法は、該干渉箇所に適応できる保護方法のうち最も低スペック（又は低コスト）な保護方法である」ということを意味する。これにより、完成品の信頼性を保ちつつ、完成品を低コストで製作することができる。
【００２５】
結果記憶部１６は、判定部１５から出力された結果を記憶する記憶装置である。この記憶装置としては、不揮発性メモリやハードディスクなど、どのような具体的技術が適用されてもよい。
【００２６】
表示部１７としては、液晶ディスプレイなど、どのような具体的技術が適用されてもよい。
【００２７】
＜設計分析機能＞
図３のフローチャートに沿って、設計分析装置の機能及び処理の流れを説明する。
【００２８】
設計分析機能が起動すると、ＣＡＤ情報取得部１１が、ユーザの選択したＣＡＤ情報を設計分析処理に用いるために取得する（ステップＳ１１）。図４は、ＣＡＤ情報取得部１１で取得されたＣＡＤ情報に関するワイヤーハーネスの概略図の一例である。図４の例では、ワイヤーハーネス３１の周りに５つの部品３２ａ〜３２ｅがある（いずれの部品もワイヤーハーネス３１に干渉しているものとする）。
【００２９】
次に、干渉箇所検出部１２が、取得されたＣＡＤ情報から複数の干渉箇所を検出する（ステップＳ１２）。本実施形態では図４に示す５つの干渉箇所３３ａ〜３３ｅが検出されたとする。
【００３０】
そして、干渉箇所状態情報取得部１３が、夫々の干渉箇所について、干渉箇所の干渉箇所状態情報をＣＡＤ情報から取得する（ステップＳ１３）。
【００３１】
本実施形態における干渉箇所状態情報の一例を図５に示す。図５の例において、干渉箇
所３３ａの干渉箇所状態情報は「干渉度合Ｂ；材質Ａ；形状Ａ；運動状態Ｂ；保護方法Ｃ」であり、干渉箇所３３ｂの干渉箇所状態情報は「干渉度合Ａ；材質Ｂ；形状Ｄ；運動状態Ｄ；保護方法Ｃ」であり、干渉箇所３３ｃの干渉箇所状態情報は「干渉度合Ｂ；材質Ａ；形状Ｂ；運動状態Ｂ；保護方法Ｃ」であり、干渉箇所３３ｄの干渉箇所状態情報は「干渉度合Ａ；材質Ａ；形状Ａ；運動状態Ａ；保護方法Ｃ」であり、干渉箇所３３ｅの干渉箇所状態情報は「干渉度合Ｂ；材質Ｃ；形状Ｃ；運動状態Ｂ；保護方法Ｃ」である。なお、保護方法は、保護スペックの高い順に、「保護方法Ａ」，「保護方法Ｂ」，「保護方法Ｃ」，「保護方法Ｄ」，「保護方法Ｅ」とする。
【００３２】
次に、判定部１５が、夫々の干渉箇所について、干渉箇所に対策が必要か否かを判定する（ステップＳ１４）。具体的には、干渉箇所に設定されている保護方法と、干渉箇所状態が該干渉箇所と同じである判定基準の保護方法とを比較する。そして、該干渉箇所に設定されている保護方法のスペックが、該判定基準の保護方法のスペックより高いか低いかによって、該干渉箇所に対策が必要か否かを判定する。例えば、干渉箇所３３ａの干渉箇所状態情報は、「干渉度合Ｂ；材質Ａ；形状Ａ；運動状態Ｂ；保護方法Ｃ」であり、判定基準は、「干渉度合Ｂ；材質Ａ；形状Ａ；運動状態Ｂ；保護方法Ａ，保護方法Ｂ」である。従って、干渉箇所３３ａに設定されている「保護方法Ｃ」は、判定基準の「保護方法Ａ，保護方法Ｂ」よりスペックが低いため、「対策が必要である」と判定される（同様に干渉箇所３３ｂは「対策が必要ではない」、干渉箇所３３ｃは「対策が必要である」、干渉箇所３３ｄは「対策が必要である」、干渉箇所３３ｅは「対策が必要ではない」と判定される。）。
【００３３】
次に、判定部１５が、夫々の干渉箇所について、保護方法が妥当か否かを判定する（ステップＳ１５）。干渉箇所が、ステップＳ１４で「対策が必要である」と判定された場合（ステップＳ１５；ＹＥＳ）、判定部１５は「妥当ではない」と判定する。一方、干渉箇所がステップＳ１４で「対策が必要ではない」と判定された場合（ステップＳ１５；ＮＯ）、ステップＳ１６へ進む。
【００３４】
ステップＳ１６では、ステップＳ１４で「対策が必要ではない」と判定された干渉箇所の夫々について、その干渉箇所に設定されている保護方法が妥当か否かを判定する。該干渉箇所に設定されている保護方法のスペックが、干渉箇所状態が該干渉箇所と同じである判定基準の保護方法のスペックと等しい場合（ステップＳ１６；ＹＥＳ）、判定部１５は「妥当である」と判定する。一方、該干渉箇所に設定されている保護方法のスペックが、干渉箇所状態が該干渉箇所と同じである判定基準の保護方法のスペックより高い場合（ステップＳ１６；ＮＯ）、判定部１５は「妥当ではない」と判定する。
【００３５】
そして、「妥当ではない」と判定された場合（ステップＳ１５；ＹＥＳ、又は、ステップＳ１６；ＮＯ）、妥当である保護方法（干渉箇所状態が干渉箇所と同じである判定基準の保護方法のうち最もスペックの低い保護方法）が判定結果に付加される（ステップＳ１７）。本実施形態では、干渉箇所３３ａは「対策が必要である」と判定されており、妥当である保護方法は「保護方法Ｂ」であるので「妥当ではない；保護方法Ｂ」と判定される（同様に干渉箇所３３ｂは「妥当ではない；保護方法Ｅ」、干渉箇所３３ｃは「妥当ではない；保護方法Ｂ」、干渉箇所３３ｄは「妥当ではない；保護方法Ａ」、干渉箇所３３ｅは「妥当である」と判定される。）。
【００３６】
（ステップＳ１６；ＹＥＳ、又は、ステップＳ１７の）次に、結果記憶部１６に、判定部１５から出力された結果が格納される（ステップＳ１８）。格納された結果は、表示部１７で確認することができる。表示部１７の表示方法は、ユーザの目的に応じて変えることができる。表示方法の例としては、「全ての干渉箇所について対策が必要であるか否かを表示する方法」、「対策が必要である干渉箇所のみを表示する方法」、「妥当な保護方
法を表示する方法」などがあるが、これらを組み合わせてもよいし、夫々を別々のウィンドウで表示させてもよい。
【００３７】
以上述べたように、本実施形態では、複数の干渉箇所の夫々について、干渉箇所状態情報を取得し、干渉箇所状態情報と判定基準とを比較する。これにより、夫々の干渉箇所について、その干渉箇所に対策が必要か否かを判定することができるので、対策が必要な干渉箇所を効率的に見つけ出すことができる。
【００３８】
なお、本実施形態の干渉箇所状態情報の取得方法は、ＣＡＤ情報から自動的に取得しているが、干渉箇所検出部１２の結果に基づいて、ユーザが干渉箇所状態情報を設定してもよい。これにより、コンピュータでは計算できないような経験的な情報を装置に与えることができる。
【００３９】
なお、本実施形態のＣＡＤ情報取得部１１で取得されるＣＡＤ情報には、ワイヤーハーネスとその周辺部品の３次元形状の情報、及び、属性の情報（干渉箇所状態情報）が含まれているが、取得される情報としては、３次元形状の情報のみでもよい（３次元形状の情報があれば干渉箇所は検出できる。）。その場合、上述したように干渉箇所状態情報はユーザが設定を行う。また、データの形式は、それらの情報が取得できる形式であれば画像データ、文字データ、及び、数値データなど、どのような形式であってもよい。
【００４０】
なお、本実施形態では、干渉箇所状態情報として、干渉箇所の干渉箇所状態として、周辺部品への干渉度合、周辺部品の材質、周辺部品の形状、運動状態、及び、保護方法の５つを考えたが、干渉箇所状態情報は、干渉箇所に適応できる保護方法を決定するために必要な情報であればどのようなものでもよい。例えば、干渉箇所状態情報は、干渉箇所状態として、周辺部品への干渉度合、周辺部品の材質、周辺部品の形状、及び、運動状態、の項目のうち少なくとも１つの項目を含めばよい。これら項目のうち少なくとも１つを含めば、判定処理の精度は向上される。
【００４１】
なお、本実施形態では、干渉箇所状態情報として、干渉箇所に設定されている保護方法も考えているが、干渉箇所状態情報に干渉箇所に設定されている保護方法を考慮しなくてもよい。例えば、保護方法については何も設定せずに、干渉箇所に保護方法が必要なのか否か、必要なのであれば妥当な保護方法は何か、ということを判定してもよい。
【００４２】
なお、本実施形態では、複数の干渉箇所の夫々について、対策が必要か否か、干渉箇所に設定されている保護方法は妥当か否かを判定しているが、その結果に基づいて人間が最終的な判断をしてもよい。その判断は、例えば、対策が必要である、及び／又は、干渉箇所に設定されている保護方法は妥当ではないと判定された干渉箇所についてのみ行えばよい。そうすることにより、コンピュータでは計算できないような経験的なノウハウを活かすことができ（例えば、妥当な保護方法は強度的に十分であるが、少し高めの保護方法に設定するなど）、更に、全干渉箇所について人間が判断するよりも労力や判断時間の削減ができる。
【図面の簡単な説明】
【００４３】
【図１】図１は、設計分析装置の機能構成を示すブロック図である。
【図２】図２は、判定基準の一例を示す図である。
【図３】図３は、設計分析装置の処理の流れを示すフローチャートである。
【図４】図４は、ワイヤーハーネスの概略図の一例を示す図である。
【図５】図５は、干渉箇所状態情報の一例を示す図である。
【符号の説明】
【００４４】
１１  ＣＡＤ情報取得部
１２  干渉箇所検出部
１３  干渉箇所状態情報取得部
１４  判定基準記憶部
１５  判定部
１６  結果記憶部
１７  表示部
３１  ワイヤーハーネス
３２ａ〜３２ｅ  周辺部品
３３ａ〜３３ｅ  干渉箇所
【図１】
2008287514.tif 000003
【図２】
2008287514.tif 000004
【図３】
2008287514.tif 000005
【図４】
2008287514.tif 000006
【図５】
2008287514.tif 000007